(57)【要約】【課題】文字や図形等の書き方を習得する際に、学習者の技能に応じた適正且つ的確な指導が可能であり、学習効率を高め且つ十分な学習効果を達成することができる書き方練習システム等を提供する。【解決手段】本発明による書き方練習システムは、文字、図形、記号、又はその他の形状を記憶する情報記憶部と、学習者が、それらの文字、図形、記号、又はその他の形状から選択された練習対象を手書き入力するための手書き入力部を備える。また、例えば、「かきじゅんアニメ」ステップや「かきかたレッスン」ステップにおいて、学習者が練習対象を手書き入力する際に、練習対象を複数の部分（例えば漢字の画）に分割し、分割された部分毎に、学習者による手書き入力を支援又は案内する入力ガイド部も具備する。【選択図】図５
2015049308.tif 000002
【特許請求の範囲】
【請求項１】
学習者による文字、図形、記号、又はその他の形状の書き方の練習に使用される書き方練習システムであって、
前記文字、図形、記号、又はその他の形状を記憶する情報記憶部と、
前記学習者が、前記文字、図形、記号、又はその他の形状から選択された練習対象を手書き入力するための手書き入力部と、
前記学習者が前記練習対象を手書き入力する際に、前記練習対象を複数の部分に分割し、該分割された部分毎に、前記学習者による手書き入力を支援又は案内する入力ガイド部と、
を備える書き方練習システム。
【請求項２】
前記練習対象が、ひらがな、カタカナ、アルファベット又は漢字であり、
前記入力ガイド部は、前記学習者が前記練習対象を手書き入力する際に、該練習対象の書き順に沿って一画毎に、前記学習者による手書き入力を支援又は案内する、
請求項１記載の書き方練習システム。
【請求項３】
前記練習対象の複数の部分のそれぞれに対し、前記学習者が前記手書き入力部において手書き入力するべき範囲及び／又は方向を設定する範囲設定部と、
前記練習対象の複数の部分のそれぞれに対し、前記学習者により手書き入力された結果が前記範囲内であるか否か及び／又は前記方向に合致しているか否かを検出し、該検出結果に基づいて、前記学習者による手書き入力の適否を判定する検出判定部と、
を備える請求項１又は２記載の書き方練習システム。
【請求項４】
前記範囲設定部は、前記練習対象の複数の部分のそれぞれに対し、始点を含む第１の範囲、終点を含む第２の範囲、並びに、前記始点及び前記終点の途中点を含む第３の範囲のうち少なくとも何れか１つを設定し、
前記検出判定部は、前記学習者により手書き入力された始点が前記第１の範囲内にあるか否か、前記学習者により手書き入力された終点が前記第２の範囲内にあるか否か、及び、前記学習者により手書き入力された途中点が前記第３の範囲内にあるか否かのうち少なくとも何れか１つを検出する、
請求項３記載の書き方練習システム。
【請求項５】
前記検出判定部は、前記学習者による手書き入力の判定結果を、前記学習者に対して視覚的及び／又は聴覚的に報知する、
請求項３又は４記載の書き方練習システム。
【請求項６】
前記入力ガイド部は、前記学習者の手書き入力が前記検出判定部によって不適正と判定されたときに、前記学習者に再入力を求め、且つ、前記練習対象における判定対象である部分の始点、終点、途中点、一部、及び全部のうち少なくとも一つを前記手書き入力部に一時的に表示させる、
請求項３〜５の何れか１項記載の書き方練習システム。
【請求項７】
前記文字、図形、記号、又はその他の形状を記憶する情報記憶部にアクセス可能なコンピュータを、
前記学習者が、前記文字、図形、記号、又はその他の形状から選択された練習対象を手書き入力するための手書き入力部、及び、
前記学習者が前記練習対象を手書き入力する際に、前記練習対象を複数の部分に分割し、該分割された部分毎に、前記学習者による手書き入力を支援又は案内する入力ガイド部、
として機能させるためのプログラム。
【発明の詳細な説明】
【技術分野】
【０００１】
本発明は、書き方練習システム、及びそのためのプログラムに関する。
【背景技術】
【０００２】
一般に、学習者が文字や図形等の書き方を練習する場合、文字や図形等の手本が印刷されている練習ノート（練習帳）等を用い、それを参考にして練習するか、或いは、点線や薄線等で印刷された手本を上からなぞって練習するようにしていた。また、練習ノートに代えて、コンピュータ等の情報処理装置を利用した書き方学習装置が提案されている。
【０００３】
かかる書き方学習装置として、例えば特許文献１には、文字や図形等を手書きするためのペンと、手書面に記入範囲を指定する枠を有しペンの接触に一致する軌跡を表示する表示手段と、表示手段の下層に設けられ、軌跡に沿った座標位置を検出する検出手段とを有し、枠内に補助線が設けられたものが記載されている。
【０００４】
この書き方学習装置は、学習者が、文字や図形等を手書面にペンによって直接書いている感覚で手書入力することを可能ならしめることを企図し、また、文字や図形の書き方が手本に比して適正であるか否かを判定することにより、学習者が、文字や図形等の書き方を単独で効果的に習得できるようにすることを企図したものである。さらに、枠や補助線を設けることにより、学習者がペンで手書面に文字や図形等を記入する際に、練習ノートに近い感覚が得られるような工夫がなされている。
【先行技術文献】
【特許文献】
【０００５】
【特許文献１】特開２００１−１４１００号公報
【発明の概要】
【発明が解決しようとする課題】
【０００６】
しかし、練習ノートを用いた書き方学習では、上述の如く文字や図形等の手本が予め印刷されており、学習者は、それを参照見本として目で確認しながら書き写したり、その軌跡を単になぞったりして練習することとなる。その結果、学習者は、手本の形を正確に覚えることを意識することなく、また、文字や図形等を書く際の注意点に留意することなく、書く、なぞるといった作業に終始してしまいがちになり易い。そうすると、手本がない状態では、手本があるときと同様に上手く書くことができなかったり、文字や図形等を憶えるまでに多くの時間が掛かかってしまったりといった状況が生じ得るので、十分な学習効果を効率よく得るには限界があった。また、上記特許文献１に記載の従来装置においても、文字や図形等の手本が表示され、それを視認して書き写したりなぞったりするのであれば、練習ノートを情報処理装置で単に代替したとしても事情は同じである。よって、この点において、従来装置によっても、効率よく十分な学習効果を得ることは困難であった。
【０００７】
また、未就学の幼児や低学年児童にとって、簡易な文字や図形等であっても、それを書いたり描いたりするのは大変な作業であり、より複雑な文字や図形等を独学で練習してその書き方を習得して行くには、通常、先生等の熟練者や親等の大人のサポート（指導や支援）が必要である。例えば、文字の書き方練習の場合、学習者の筆跡が手本の形からずれていないか否かを一画毎に判断し、ずれている場合には、その一画毎に適切な指導を行い、その上で、文字全体を書き終えた後に、学習者自身が自分の筆跡と手本とを比較考量するように指導する等が望まれる。さらに、学習者の技能が徐々に上達していく過程では、その上達の度合に応じた適正且つ的確な指導や支援も切望される。しかし、練習ノートや情報処理装置を用い、単に、文字や図形等の手本を見て書き写したり、それをなぞって練習したりするだけの上記従来の書き方学習では、それらの要求を十分に満たすことも困難であった。
【０００８】
またさらに、特に文字の書き方学習においては、きれいな字形（字体）で書くことと書き順を正しく書くことの両方の習得が必要である。これに対し、従来、それぞれを個別に学習する手法が知られており、また、例えば文字の手本に加えて各画に書き順の数字を記載したもの等も見受けられた。しかし、きれいな字形で書くことと書き順を正しく書くことの双方を、より効果的且つ効率的に習得するための優れた手法は未だ実現されておらず、また、手本を書き写したりなぞったりする学習を提供する練習ノートや情報処理装置では、依然として上述した課題が残ってしまうという不都合があった。
【０００９】
そこで、本発明はかかる事情に鑑みてなされたものであり、文字や図形等の書き方を、学習者が独学で（単独で）習得する場合でも、学習者の技能に応じた適正且つ的確な指導や支援が可能であり、文字や図形等の学習効率を高め且つ十分な学習効果を得ることができる書き方練習システム、書き方練習システム、及びそれらのためのプログラムを提供することを目的とする。
【課題を解決するための手段】
【００１０】
上記課題を解決するために、本発明による書き方練習システムは、学習者による文字、図形、記号、又はその他の形状の書き方の練習に使用される（供される）ものであって、文字、図形、記号、又はその他の形状を記憶する情報記憶部と、学習者が、それらの文字、図形、記号、又はその他の形状から選択された練習対象を手書き入力するための手書き入力部と、学習者が練習対象を手書き入力する際（同時である必要はなく、入力前、入力中、及び入力後を問わない）に、練習対象を複数の部分に分割し、分割された部分毎に、学習者による手書き入力を支援又は案内する入力ガイド部を備える。なお、練習対象の「選択」は、その候補のなかから学習者が選択するようにしてもよいし、学習者への学習支援の内容に応じて設定されたものを学習者に提示するようにしてもよい。
【００１１】
このように構成された書き方練習システムでは、情報記憶部に記憶された文字、図形、記号、又はその他の形状から選択された練習対象について、実際に手書き入力を行うことにより、その書き方の練習を行うことができる。その際、入力ガイド部により、練習対象が複数の部分に分割され、学習者に対して、その部分毎に手書き入力の支援又は案内が行われる。これにより、学習者は、その練習対象の手本を単に見ながら書くのではなく、提示された練習対象の全体像を思い出しつつ、各部分の配置や他の部分との関係を考慮するといった思考錯誤を行いながら、練習対象の全体を書き上げる途中においても、入力ガイド部による適切な支援又は案内を受けることができる。かかる入力支援は、例えば練習対象の手本をなぞり書きする場合においても、極めて有効である。
【００１２】
より具体的には、そのような入力ガイドが特に有用な練習対象として、種々の画数のものが存在し、学習者のレベルによっては、正しい書き順を習得することに難しいものを含む文字であるひらがな、カタカナ、アルファベット又は漢字を挙げることができる。ただし、これらに限定されない。このとき、学習者がそれらの文字を手書き入力する際に、入力ガイド部によって、その文字の書き順に沿って一画毎に、学習者の手書き入力を支援又は案内するように構成すると好適である。例えば、複数の画を有する漢字等の文字には、その書き方を初めて学ぶ学習者が注意（留意）するべき事項や箇所が複数あり、それらの複数の注意事項等をまとめて（一遍に）学習者に知らしめても、学習者はそれを全て覚えることは難しい。これに対し、文字の一画毎にそのような注意事項等を表示等により学習者に指導することにより、学習者の技能の上達を促進することができる。
【００１３】
また、書き方練習システムが、練習対象の複数の部分のそれぞれに対し、学習者が手書き入力部において手書き入力するべき範囲及び／又は方向を設定する範囲設定部と、練習対象の複数の部分のそれぞれに対し、学習者により手書き入力された結果がその範囲内であるか否か及び／又はその方向に合致しているか否かを検出し、その検出結果に基づいて、学習者による手書き入力の適否を判定する検出判定部とを備えるように構成してもよい。換言すれば、練習対象が文字の場合、範囲設定部により、その文字の一画毎に、手本の運筆範囲（連続した時系列の筆跡に対応する座標）及び運筆方向が予め設定され、検出判定部により、学習者の手書き入力結果が、その手本の運筆範囲及び／又は運筆方向と照合対比され、その結果に基づいて、学習者の手書き入力に誤りがあるか否かを即時に判定するように構成することができる。
【００１４】
より具体的には、範囲設定部が、練習対象の複数の部分のそれぞれに対し、その始点を含む第１の範囲、その終点を含む第２の範囲、並びに、それらの始点及び終点の途中点（途中箇所）を含む第３の範囲のうち少なくとも何れか１つを設定し、検出判定部が、学習者により手書き入力された始点が第１の範囲内であるか否か、学習者により手書き入力された終点が第２の範囲内であるか否か、及び、学習者により手書き入力された途中点が第３の範囲内にあるか否かのうち少なくとも何れか１つを検出し、その検出結果に基づいて、学習者による手書き入力の適否（適正であるか不適正であるか）を判定するようにした構成が挙げられる。
【００１５】
このように構成すれば、学習者が練習対象の複数の部分のそれぞれを手書き入力する毎に、その手書き入力結果の適否が判定されるので、その結果を入力ガイド部にフィードバック等することにより、学習者に対する入力支援や案内をより綿密且つ的確に行うことができる。また、その判定が、練習対象の全体形状と手書き入力されたものの全体形状を詳細に比較するのではなく、練習対象の一部に対して（例えば文字であれば一画毎に）行われるので、判定作業を簡略化しつつ、学習者の書き方技能の上達の度合いを推測又は把握したり、或いは、学習者の書き方の癖を判断したりといったことも可能となる。
【００１６】
例えば、学習者による書き出し（始点）の入力位置が第１の範囲から外れている場合、その練習対象（例えば文字）の該当部分の正しい書き順を学習者が理解していない、或いは、それを判っていたとしても正しい書き出し（書き始め）位置を習得していないといった可能性を把握することができ、その場合、例えば、手書き入力部に正しい始点位置を表示するといった入力ガイドを行うことができる。
【００１７】
また、書き出しの入力位置は第１の範囲内に収まっているが、書き終わり（終点）の入力位置が第２の範囲から外れている場合、或いは、書いている途中の入力位置が第３の範囲からがずれている場合、正しい始点位置から書き始めているものの、途中で正しい軌跡からずれてしまった結果であり、その練習対象（例えば文字）の該当部分の正しい書き終わり位置又は正しい途中位置を学習者が理解していない可能性を把握することができる。この場合には、例えば、手書き入力部に正しい終点位置、正しい途中点、又は、正しい画（その該当部分の全体）を適宜の時間表示するといった入力ガイドを行うことができる。
【００１８】
或いは、学習者による書き出し（始点）の入力位置が第１の範囲から外れており、且つ、書き終わり（終点）の入力位置が第２の範囲からも外れていたり、或いは、書いている途中の入力位置も第３の範囲から外れていたりする場合、学習者がその練習対象の該当部分の正しい形を全く覚えていない可能性が疑われる。このような場合には、手書き入力部に正しい始点位置と終点位置の両方を表示し、必要に応じて、正しい途中点位置を追加表示したり、正しい画（その該当部分の全体）を表示したりといった入力ガイドを実施することができる。なお、始点、終点、及び途中点といった複数点の位置を表示する場合、学習者によるそれらの認知を容易ならしめるべく、例えば、それらを互いに異なる色（配色）で表示すると好適である。
【００１９】
加えて、形状の比較のみではなく、運筆における方向についても学習者による手書き入力の適否を判定することができるので、例えば、文字の一部について、その筆跡は手本と合っているものの、それを逆方向から書いてしまったときにも、それが不適正であることを検出して学習者に知らせることが可能となる。
【００２０】
さらに、検出判定部が、上述した学習者による手書き入力の判定結果を、学習者に対して視覚的及び／又は聴覚的に報知するようにしてもよい。その際の報知手段としては、特に制限されず、学習者による始点や終点の入力時に、画面の状態を変化させたり、音声を鳴らしたりといった手法を例示することができる。こうすることにより、学習者に正しい入力位置をより効果的に印象付けることができ、また、正しい入力ができた場合（正解した場合）に学習者の練習意欲を湧き立たせ、その結果、学習効果がより一層向上される。
【００２１】
また、入力ガイド部は、学習者の手書き入力が検出判定部によって不適正と判定されたときに、学習者に再入力を求め、且つ、練習対象における判定対象である部分の始点、終点、途中点、一部、及び全部のうち少なくとも一つを手書き入力部に一時的に表示させるようにしてもよい。
【００２２】
このようにすれば、学習者が該当部分の入力を間違えたときに、その始点、終点、途中点、一部、及び全部のうち少なくとも一つが、言わばヒントとして直ちに表示され、それに従って再入力を行うことができるので、記憶が曖昧な部分を即座に確認したり、誤りをその場ですぐさま修正したりすることができるので、学習効果を更に一層高めることができる。
【００２３】
また、本発明による手書き練習プログラムは、上述した本発明による手書き練習システムを実現するために有用なものであって、文字、図形、記号、又はその他の形状を記憶する情報記憶部にアクセス可能なコンピュータを、学習者がそれらの文字、図形、記号、又はその他の形状から選択された練習対象を手書き入力するための手書き入力部、及び、学習者が練習対象を手書き入力する際に、練習対象を複数の部分に分割し、その分割された部分毎に、学習者による手書き入力を支援又は案内する入力ガイド部として機能させるためのものである。
【発明の効果】
【００２４】
本発明によれば、学習者が、文字、図形、記号、又はその他の形状から選択された練習対象を手書き入力部に手書き入力する際に、入力ガイド部により、練習対象が複数の部分に分割され、学習者に対して、その部分毎に手書き入力の支援又は案内が行われる。これにより、学習者は、その練習対象の手本を単に見ながら書くのではなく、思考錯誤を行いながら書き方練習を行うことができ、また、学習者が独学で書き方練習を行う場合でも、学習者の技能に応じた適正且つ的確な指導や支援を受けることができるので、学習効率を高め且つ十分な学習効果を得ることが可能となる。
【図面の簡単な説明】
【００２５】
【図１】本発明による書き方練習システムの好適な一実施形態を示す概略構成図（システム構成図）である。
【図２】図１に示す実施形態におけるサーバ装置の好適な一実施形態を示す概略構成図（システムブロック図）である。
【図３】図１及び図２に示すサーバ装置を機能的な観点から示す概略構成図（機能構成図）である。
【図４】図１に示す端末装置の概略構成図であり、機能的な観点を含む機能構成図でもある。
【図５】学習支援の一環として提供される書き方練習を行うための手順の一部を含む画面遷移の一例を示す概略フロー図である。
【図６】書き方練習画面（書き方練習に関する内容を提示するページ画面）の一例を模式的に示す概略平面図である。
【図７】（Ａ）及び（Ｂ）は、練習対象の書き順アニメーションを再生している状態の一部を模式的に示す平面図である。
【図８】（Ａ）〜（Ｃ）は、学習者が練習対象文字の書き方練習を行っている状態の一部を模式的に示す平面図である。
【図９】（Ａ）〜（Ｃ）は、学習者が練習対象文字の書き方練習を行っている状態の一部を模式的に示す平面図である。
【図１０】（Ａ）〜（Ｃ）は、学習者が練習対象文字の書き方練習を行っている状態の一部を模式的に示す平面図である。
【図１１】（Ａ）〜（Ｅ）は、学習者が練習対象文字の書き方練習を行っている状態の一部を模式的に示す平面図である。
【発明を実施するための形態】
【００２６】
以下、本発明の実施の形態について詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。また、以下においては、理解を容易にするべく、情報処理装置を利用して本発明が実現される実施の形態を例にとって説明するが、上述の如く、本発明はそれに限定されない。
【００２７】
図１は、本発明による書き方練習システムの好適な一実施形態を示す概略構成図（システム構成図）である。同図に示すとおり、サーバ装置１００と端末装置２００とが、ネットワークＮを介して相互に通信可能に設定されることにより、書き方練習システム１が構成される。
【００２８】
サーバ装置１００は、ネットワークＮに接続されたサーバ用コンピュータであり、そのサーバ用コンピュータにおいて所定のサーバ用プログラムが動作することにより、サーバ機能を実現するものである。本実施形態において、サーバ装置１００は、書き方練習システム１により学習者の学習を支援する事業者等によって提供され得る。
【００２９】
端末装置２００は、ネットワークＮに接続され、サーバ装置１００にアクセス可能なコンピュータである。本実施形態において、端末装置２００は、書き方練習システム１のユーザである学習者が家庭等で学習する際に使用されるものであって、このような端末装置２００として、好適にはタブレットコンピュータ（以下「タブレット端末」という。）が想定される。そこで、以下においては、理解を容易にするべく、端末装置２００がタブレット端末である実施の形態を例にとって説明する。しかしながら、本発明において、端末装置２００はタブレット端末に限られるものではなく、他にも、パソコン（ＰＣ）、家庭用ゲーム機器（携帯型ゲーム機を含む）、携帯電話機（いわゆるフィーチャーフォン）、スマートフォン（多機能携帯電話機）、携帯情報端末（Personal Digital Assistant；ＰＤＡ）、携帯音楽プレイヤ、電子書籍リーダ、その他のコンピュータ機器を採用してもよいことは言うまでもない。
【００３０】
ネットワークＮは、例えばインターネット等を含む情報処理に係る通信回線又は通信網であり、その具体的な構成は、サーバ装置１００と端末装置２００との間でデータの送受信が可能なように構成されていれば特に制限されず、有線であるか無線であるかも問わない。また、ネットワークＮは、複数種の通信回線や通信網及び種々のネットワーク機器を含んで構成され得る。例えば、ネットワークＮは、端末装置２００に無線接続される基地局や無線ＬＡＮのアクセスポイント（ＷｉＦｉルータ等）、基地局に接続された移動体通信網、アクセスポイントからルータやモデムを介して接続された電話回線、ケーブルテレビ回線又は光通信回線などの公衆回線、サーバ装置１００に接続されたインターネット、移動体通信網や公衆回線とインターネットを接続するゲートウェイ装置を含む。
【００３１】
図２は、本実施形態におけるサーバ装置１００の好適な一実施形態を示す概略構成図（システムブロック図）である。同図に示すとおり、サーバ装置１００は、ＣＰＵやＭＰＵといった演算処理部１０１、記憶装置としてのＲＯＭ１０２及びＲＡＭ１０３、入力部１０５及び外部メモリ１０６が接続された外部インターフェース１０４、ディスプレイモニタ１１１が接続された画像処理部１０７、ディスク又はメモリデバイス等が収容又は接続されるスロットドライブ１０８、スピーカ装置１１２が接続された音声処理部１０９、並びに、ネットワークインターフェース１１０を備え、これらが、例えば、内部バス、外部バス、及び拡張バスを含むシステムバスといった伝送路１２０を介して互いに接続されて構成される。なお、入力部１０５、外部メモリ１０６、ディスプレイモニタ１１１、スピーカ装置１１２等の入出力を担うデバイス装置は、必要に応じて適宜省略してもよいし、それらを備える場合であっても、それらは伝送路１２０に常時接続されていなくてもよい。
【００３２】
演算処理部１０１は、サーバ装置１００全体の動作を制御し、上述した他の構成要素との間で制御信号及び情報信号（データ）の送受信を行うとともに、学習支援としての書き方練習に必要な各種の演算処理を行う。そのため、演算処理部１０１は、いわゆるレジスタ等の高速アクセス可能な記憶領域に対して、数値演算ユニット等を用いた加減乗除等の算術演算、論理和、論理積、論理否定等の論理演算、ビット和、ビット積、ビット反転、ビットシフト、ビット回転等のビット演算等、更に必要に応じて、飽和演算、三角関数演算、ベクトル演算等を行うことが可能なように構成されている。
【００３３】
また、ＲＯＭ１０２には、一般に、電源投入後、最初に実行されるＩＰＬ（Initial Program Loader）が記録されており、これが実行されることにより、スロットドライブ１０８に収容又は接続されるディスクやメモリデバイスに記録されたサーバ用プログラムや学習支援プログラムが、演算処理部１０１によって一旦ＲＡＭ１０３に読み出され、そのプログラムが演算処理部１０１によって実行される。さらに、ＲＯＭ１０２には、サーバ装置１００全体の動作制御に必要なオペレーティングシステムのプログラムやその他の各種データが記録されている。
【００３４】
さらに、ＲＡＭ１０３は、サーバ用プログラム、書き方練習プログラム、及び、各種データを一時的に記憶するためのものであり、上記の如く、読み出されたサーバ用プログラムや書き方練習プログラム、その他、学習の進行や複数の端末装置２００間の通信に必要なデータ等がＲＡＭ１０３に保持される。さらに、演算処理部１０１は、ＲＡＭ１０３に変数領域を設定し、その変数領域に格納された値に対しても数値演算ユニットを用いた直接演算を行ったり、或いは、ＲＡＭ１０３に格納された値をレジスタに一旦複製又は移設格納してそのレジスタに対しても直接演算を行ったり、さらには、それらの演算結果をＲＡＭ１０３に書き戻したりといった処理を行う。
【００３５】
また、外部インターフェース１０４を介して接続された入力部１０５は、サーバ装置１００を用いて書き方練習やその他の問題、教材等を含む講座を提供する事業者側のユーザが行う各種の操作入力を受け付けるものであり、入力部１０５としては、キーボード、タッチパッド、タッチパネルの他、例えば、音声入力装置を採用することができ、種々の操作入力、決定操作、取消操作、メニュー表示等の指示入力を行うことが可能であれば、デバイスの種類は特に制限されない。
【００３６】
さらに、ＲＡＭ１０３や、外部インターフェース１０４を介して着脱自在に接続された外部メモリ１０６には、サーバ装置１００の作動状況、各端末装置２００のアクセス状況、各端末装置２００における書き方練習の進行状況や過去の成績等を示すデータ、端末装置２００間の通信のログ（記録）のデータ等が書き換え可能に記憶される。
【００３７】
また、画像処理部１０７は、スロットドライブ１０８から読み出された各種データを、演算処理部１０１により、又は、画像処理部１０７自体により加工処理した後、その処理後の画像情報をフレームメモリ等に記録する。このフレームメモリに記録された画像情報は、所定の同期タイミングでビデオ信号に変換され、画像処理部１０７に接続されるディスプレイモニタ１１１へ出力される。これにより、各種の画像表示が可能となる。また、学習支援に関する画像情報は、演算処理部１０１との協働処理等によって、画像処理部１０７及び／又は演算処理部１０１から各端末装置２００へ送出される。
【００３８】
またさらに、音声処理部１０９は、スロットドライブ１０８から読み出された各種データを音声信号に変換し、音声処理部１０９に接続されたスピーカ装置１１２から出力する。また、学習支援に関する音声情報（キャラクタの声や効果音など）は、演算処理部１０１との協働処理等によって、音声処理部１０９及び／又は演算処理部１０１から各端末装置２００へ送出される。
【００３９】
さらにまた、ネットワークインターフェース１１０は、サーバ装置１００をネットワークＮへ接続するためのものであり、例えば、ＬＡＮの構築に使用される諸規格に準拠するもの、アナログモデム、ＩＳＤＮモデム、ＡＤＳＬモデム、ケーブルテレビジョン回線を用いてインターネット等に接続するためのケーブルモデム等、及び、これらを、伝送路１２０を介して演算処理部１０１と接続するための通信インターフェース回路とから構成される。
【００４０】
なお、サーバ装置１００は、単一のコンピュータから構成されるものであっても、ネットワーク上に分散した複数のコンピュータから構成される、いわゆるクラウドコンピューティングの形態のものであってもよい。また、単一のコンピュータが複数のサーバ機能を備えるようなものでもよい。
【００４１】
サーバ装置１００のハードウェア構成は、上述したとおりであるが、図３は、図１及び図２に示すサーバ装置１００を機能的な観点から示す概略構成図（機能構成図）である。サーバ装置１００は、端末装置２００からの学習者の要求に応じて、書き方練習を含む学習を支援するためのものであり、そのための機能として、少なくともサーバ通信部１３１、サーバ記憶部１３２、及びサーバ処理部１３３を備える。
【００４２】
サーバ通信部１３１は、サーバ装置１００とネットワークＮとの間で通信を行うものであり、端末装置２００等から受信したデータを、サーバ処理部１３３に供給するとともに、サーバ処理部１３３から供給されたデータを、端末装置２００へ送信する機能を有する。かかるサーバ通信部１３１は、具体的には、少なくとも上述した図２に示すネットワークインターフェース１１０から構成される。
【００４３】
また、サーバ記憶部１３２は、各種プログラムや各種データを記憶するためのものであり、具体的には、上述した、図２に示すＲＯＭ１０２、ＲＡＭ１０３、外部メモリ１０６、及びスロットドライブ１０８の少なくとも何れか１つから構成される。ここで、サーバ記憶部１３２に記憶される書き方練習プログラムは、後述する処理手順を実行する学習支援アプリケーションのプログラムの１つであり、サーバ記憶部１３２には、かかる学習支援に係る表示データや各種演算結果のデータも記録される。
【００４４】
さらに、サーバ記憶部１３２には、データとして、少なくとも学習者マスタ、及び講座マスタが記憶される。学習者マスタは、書き方練習を含む学習者による学習の進行状況や過去の成績等を管理するためのものである。また、講座マスタは、書き方練習を含む学習過程及び学習内容のカリキュラム全般を管理するためのものであり、学年別（学習者が学生の場合）又はレベル別に設けられた講座毎に、各教科における学習スケジュール、各教科の複数の単元、及び、各単元の小項目として学習する内容（例えば、授業の解説、テスト問題や課題、及びそれらの解答・解説等）も含まれる。
【００４５】
ここで、書き方練習の対象は、文字、図形、記号、又はその他の形状（平面形状、立体形状）であり、例えば文字がひらがな、カタカナ、又は漢字であれば、その練習内容は、国語教科の項目の一つとして講座マスタに含まれる。また、講座マスタには、それらの文字、図形、記号、又はその他の形状の全体像のみならず、それぞれを複数の部分（部位）に分割したデータが含まれており、さらに、書き順が定められているものについては、その書き順の情報も含まれている。なお、書き方練習の対象やそれに関連する情報を、例えば書き方マスタとして、講座マスタから独立した又は講座マスタに従属する別のマスタとして設けてもよい。また、これらの各マスタは、必要に応じて、例えば学習者を識別するためのＩＤ等によって互いに関連付けられている。さらに、これらの他に、サーバ処理部１３３における所定の演算処理に関する一時的なデータを一時的に記憶してもよい。
【００４６】
また、サーバ処理部１３３は、図２に示す演算処理部１０１から構成されており、演算処理部１０１による制御指令に基づいて後述の各機能モジュールによる処理が実行される。すなわち、演算処理部１０１が、本実施形態におけるサーバ処理部１３３として機能する。本実施形態における学習支援を例にして更に説明すれば、機能モジュールとして、制御管理部１３４、学習内容提示部１３５、入力ガイド部１３６、及び検出判定部１３７を備える。これらの各部（機能モジュール）は、演算処理部１０１のプロセッサで実行される上記各種プログラムにより実現され、或いは、ファームウェアとして演算処理部１０１に実装されていてもよい。なお、これらの各部の動作については、後述する。
【００４７】
図４は、図１に示す端末装置２００の概略構成図であり、機能的な観点を含む機能構成図でもある。なお、端末装置２００の好適なシステム構成（ハードウェア構成）は、図２に示すサーバ装置１００のシステム構成と共通する構成を備えることに加え、例えば、デジタルカメラ等の撮像装置を含んでいる。本実施形態において、端末装置２００は、上述の如く、例えばタブレット端末であり、図４に示すように、端末通信部２３１、端末記憶部２３２、操作部２３３、表示部２３４、及び端末処理部２３５を備えている。
【００４８】
端末通信部２３１は、所定の周波数帯を感受帯域とするアンテナを含む通信インターフェース回路を備え、端末装置２００を、無線通信ネットワークを介してネットワークＮに接続する。その場合の通信形態としては、特に制限されず、例えば、通信用の基地局やアクセスポイント等により割り当てられるチャネルを介して、その基地局やアクセスポイントとの間でＷＣＤＭＡ（登録商標）（Wideband Code Division Multiple Access）方式やＷｉＦｉ（Wireless Fidelity）方式等による無線信号回線を確立し、基地局やアクセスポイントとの間で通信を行う。そして、端末通信部２３１は、端末処理部２３５から供給されたデータをサーバ装置１００に送信するとともに、サーバ装置１００から受信したデータを端末処理部２３５に供給する。
【００４９】
端末記憶部２３２は、例えば、フラッシュメモリ、磁気ディスク装置、又は光ディスク装置のうちの少なくとも何れか１つを備え、端末処理部２３５での処理に用いられるオペレーティングシステムプログラム、ドライバプログラム、アプリケーションプログラム、データ等を記憶する。これらのうち、ドライバプログラムとしては、例えば、操作部２３３を制御するための入力デバイスドライバプログラム、表示部２３４を制御するための出力デバイスドライバプログラム等が挙げられる。
【００５０】
また、アプリケーションプログラムとしては、学習者へ提供される学習内容に関し、スケジュール、各単元やそれに含まれる各小項目の解説、テスト問題や課題及びそれらの解説、その採点結果等の学習過程及び学習内容に係るデータの取得及び表示を行うためのプログラム、上述した学習者に確実な理解と暗記を求めるべき特定の学習事項に対する覆隠の設定及び解除を行うためのプログラム、並びに、上述した学習者の苦手項目とその他の項目を弁別して管理及び表示するためのプログラム等を例示することができる。さらに、データとしては、学習の進行状況、テスト問題の過去の成績、特定の学習事項に設定された覆隠の状態を示すフラグ、及び、単元や小項目のうち苦手項目を示すフラグ等が挙げられる。なお、端末記憶部２３２は、所定の処理に係る一時的なデータを一時的に記憶してもよい。
【００５１】
操作部２３３は、例えば、上述したサーバ装置１００の入力部１０５と同等の構成のものを例示することができる。本実施形態においては、操作部２３３として、例えば、タッチパネルを好適に用いることができ、また、端末装置２００の操作が可能であり、プレイヤが文字、数字等を入力することができるもの、例えば、キーボードやマウス、タッチパッド等を更に備えていてもよい。
【００５２】
タッチパネルは、表示部２３４の画面に対応する形状及び大きさの略矩形の検出面を備えており、この検出面上に物体が接触した場合に、当該物体の接触位置を検出する。本実施形態では、タッチパネルは、物体の接触位置を所定の時間間隔で順次検出する。タッチパネルの検出面は、表示部２３４の画面と重なるよう配置されている。また、タッチパネルは、必ずしも物体が検出面に接触した場合だけ物体の位置を検出するのではなく、検出面上の検出可能範囲まで物体が近接した場合に、当該物体の検出面に対する位置を検出するようにしてもよい。タッチパネルは、例えば、静電容量式や感圧式、光学式等、検出面上における物体の位置を検出可能なデバイスであれば、どのような方式のものであってもよい。
【００５３】
学習者は、自分の指やスタイラス等の物体をタッチパネルに接触させて操作入力を行う。学習者により操作部２３３が操作されると、操作部２３３は、その操作に対応する信号を発生し、その信号を端末処理部２３５に供給する。端末装置２００は、学習者による操作信号を、上記の端末通信部２３１を介してサーバ装置１００へ送信することにより、学習の進行に必要な動作を要求する。
【００５４】
また、表示部２３４は、端末処理部２３５から供給された映像データに応じた映像、画像データに応じた画像等を表示するものであり、後述する端末装置２００の画面の主要部を構成する。かかる表示部２３４としては、テキスト、映像、画像等の表示が可能であればどのようなデバイスでもよく、例えば、液晶ディスプレイ、有機ＥＬ（Electro−Luminescence）ディスプレイ等が挙げられる。
【００５５】
さらに、端末処理部２３５は、ＣＰＵやＭＰＵといった一又は複数個のプロセッサ及びその周辺回路を備え、端末装置２００の全体的の動作を統括制御するものであり、例えば、上述したサーバ装置１００の演算処理部１０１と同等の構成のものを例示することができる。また、端末処理部２３５は、端末装置２００の各種処理が、端末記憶部２３２に記憶されているプログラム（オペレーティングシステムプログラム、ドライバプログラム、アプリケーションプログラム等）に沿って、且つ、操作部２３３の操作等に応じて適切な手順で実行されるように、端末通信部２３１、表示部２３４等の動作を制御する。
【００５６】
この端末処理部２３５は、上記の各種プログラムによって実現される、又は、ファームウェアとして端末装置２００に実装された機能モジュールとして、少なくとも閲覧実行部２３６を備えている。この閲覧実行部２３６により、上述した学習の進行に係る表示データの取得及び表示が行われる。すなわち、閲覧実行部２３６は、学習者からの指示に応じて、書き方練習を含む学習の進行に係る表示データの取得要求を、端末通信部２３１を介してサーバ装置１００に送信するとともに、対応する表示データを、サーバ装置１００から端末通信部２３１を介して受信する。さらに、閲覧実行部２３６により、受信された表示データに基づいて描画データが作成される。すなわち、閲覧実行部２３６は、受信した表示データを解析して制御データ及び内容データを特定し、特定した制御データに従って同じく特定した内容データをレイアウトすることにより、描画データを再構成し、その描画データを表示部２３４に出力する。
【００５７】
このように構成された書き方練習システム１において、本発明による書き方練習プログラムに従って実施される学習支援の好適な一実施形態について、上述した各機能要素の動作シーケンスを含めて以下に説明する。図５は、その学習支援の一環として提供される書き方練習を行うための手順の一部を含む画面遷移の一例を示す概略フロー図である。
【００５８】
学習者が、端末装置２００の操作部２３３を介して、端末装置２００に学習支援プログラムの実行を指示すると、端末装置２００は、当該プログラムに基づいて処理を開始し、端末処理部２３５が、学習支援のホーム画面（初期画面）の取得要求を、端末通信部２３１を介してサーバ装置１００に送信する。その取得要求を受信したサーバ処理部１３３の制御管理部１３４は、そのための表示データを作成し、作成した表示データを、サーバ通信部１３１を介して端末装置２００に送信する。その作成された表示データを受信した端末装置２００は、端末処理部２３５により、その受信データに基づいて描画データを作成する。端末処理部２３５は、作成した描画データを端末装置２００の表示部２３４に出力し、学習支援のホーム画面を表示する（ステップＳＰ１００）。
【００５９】
その際、学習支援のホーム画面に表示される事項としては、例えば、学習者が履修中の講座情報、当該講座における教科毎の単元、各教科の学習スケジュール、学習者の学習の進行（進捗）状況、学習者に関する種々の設定項目、学習者へのお知らせ、ログイン／ログアウト（サインイン／サインアウト）等の内容を実行又は閲覧するための各種メニューリスト、及びそれらの各項目へのアクセスボタン（固定式、ランチャー形式、バナー形式等）等が含まれる（ただし、これらに限定されない）。
【００６０】
ここで、本実施形態では、教科毎の各単元の学習内容の一部又は全部が、制御管理部１３４によって更に細かく複数の小項目（単元を構成する細分化されたユニットに相当）に分類管理されており、学習内容提示部１３５により、それらの小項目毎の学習内容が、端末装置２００の表示部２３４に表示される。そして、上述の如く、国語教科の項目の一つとして、学習者が例えば単元毎に学ぶべきひらがな、カタカナ、又は漢字の書き方練習が用意されている。ステップＳＰ１００で表示される学習支援のホーム画面には、上記各種メニューに加え、それらのひらがな、カタカナ、又は漢字の書き方練習を行うためのメニューへのアクセスボタンも含まれている。
【００６１】
なお、書き方練習の内容は、単元に従属するメニュー形式のほか、例えば書き方練習コーナーや書き方練習ルームといった単元から独立したメニュー形式で提供されるように構成してもよい。ここでの「コーナー」や「ルーム」とは、例えば、学習支援の一環としてシステム上に設けられ、且つ、学習者が立ち入ることができる仮想的な一区画を意味する便宜的な用語であり、それらの称呼の本来の意味に限定される概念ではない。
【００６２】
この学習支援のホーム画面において、学習者が、端末装置２００の操作部２３３を介して、所望の単元の書き方練習を含むメニューを選択すると、端末処理部２３５が、その選択された学習内容を表示する画面の取得要求を、端末通信部２３１を介してサーバ装置１００に送信する。その取得要求を受信したサーバ処理部１３３は、学習内容提示部１３５により、学習者が選択した学習内容及びその導入画面を表示するための表示データを作成する。さらに、サーバ処理部１３３は、作成されたその表示データを、サーバ通信部１３１を介して端末装置２００へ送信する。その表示データを受信した端末装置２００は、端末処理部２３５により描画データを作成し、それを端末装置２００の表示部２３４に出力して、書き方練習を含むメニューを表示する（ステップＳＰ１１０）。
【００６３】
この書き方練習メニューには、必要に応じて、その単元において、又は、学習者が属する学年において、その学習者が学ぶべき文字（ひらがな、カタカナ、アルファベット、漢字）のカテゴリ（種類）を選択するための表示、及び／又は、それらの文字の一覧表示が含まれ、学習者は、それらのなかから、所望の練習対象の文字を任意に選択することができる。或いは、所望の単元の書き方練習を含むメニューが選択されたときに、学習内容提示部１３５が、その単元に含まれる文字（ひらがな、カタカナ、アルファベット、漢字）を順次、又は、それらのなかから所定のものを選択して、練習対象の文字として学習者に提示する。この場合、学習者がそれまでに学習していない初出の文字を優先するようにしてもよく、不作為（ランダム）に抽出するようにしても構わない。
【００６４】
このようにして、練習対象の文字が選択される（ステップＳＰ１２０）と、制御管理部１３４及び学習内容提示部１３５は、書き方練習画面の表示データを作成し、それをサーバ処理部１３３からサーバ通信部１３１を介して端末装置２００へ送信し、端末処理部２３５が作成したその描画データを表示部２３４に出力して、その書き方練習画面を表示する（ステップＳＰ１３０）。ここで、図６は、かかる書き方練習画面（書き方練習に関する内容を提示するページ画面）の一例を模式的に示す概略平面図であり、選択された練習対象が漢字の「月」である場合の一例である。
【００６５】
本実施形態では、端末装置２００の画面２０１（表示部２３４の一部）に、以下の各種アクセスボタン６１０〜６４０が、例えば、図６に示すとおりの配置で表示される。すなわち、アクセスボタン６１０は、練習対象文字の書き順を視覚的に示す「かきじゅんアニメ」に関する内容の表示・実行を指示するためのものである。学習者が、このアクセスボタン６１０に対してタッチ、タップ、クリック等の操作（以下まとめて「タッチ等」という）を行うことにより、練習対象文字を正しい書き順で書く状態がアニメーションによって再生され、また、学習者は、練習対象文字の手本を使いながら、予備的な書き方練習又は書き方練習の準備としてのなぞり書きを行うことができる。
【００６６】
また、アクセスボタン６１０の近傍（図示向って左隣）には、その練習対象文字の完成形１０が表示される文字表示部６１１が設けられており、さらに、アクセスボタン６１０の下方には、練習対象文字の画数を示す説明表示６１２、及び、その練習対象文字単独の音読みと訓読みを示す説明表示６１３も掲載される。
【００６７】
アクセスボタン６２０は、学習者が、練習対象文字の手本を用いずに練習対象文字の書き方を練習するための「かきかたレッスン」に関する内容の表示・実行を指示するためのものである。学習者が、このアクセスボタン６２０をタッチ等することにより、学習者は、練習対象文字の手本が表示されない状態で練習対象文字の手書き入力を行うことができ、また、その手書き入力の適否（正しく書けているか否か）の判定も行われる。そのアクセスボタン６２０を含む領域６２１内には、学習者が手書き入力した結果（必要に応じてその採点結果やアドバイス等を含む）を表示するための結果表示部６２２も設けられている。
【００６８】
また、アクセスボタン６２０には、「かきかたレッスン」のタイトルとともに、書き方練習であることを象徴的に表すイラスト６２３等が描画されてもよい。さらに、アクセスボタン６２０の近傍には、学習者に対して「かきかたレッスン」への参加を呼びかけたり促したりするための文章や台詞といったテキストの内容を発話（吹き出し６２４で表現）するキャラクタ６２４等を登場させてもよい。
【００６９】
一方、アクセスボタン６３０は、練習対象文字の読み方と使い方を視覚的に提示し、且つ、その読み方を発話音声によって聴覚的に提示する「よみかた・つかいかた」の表示及び実行を指示するためのものである。そのアクセスボタン６３０を含む領域６３１には、練習対象文字の「月」及びその熟語（漢語）の「よみ」が付された例文６３２が表示され、それとともに、練習対象文字を象徴的に示すイラスト６３３等が描画されてもよい。学習者が、このアクセスボタン６３０、或いは、例文６３２における練習対象文字又はその熟語をタッチ等することにより、その「よみ」又はそれを含む文章の音声が流れる。
【００７０】
さらに、アクセスボタン６４０は、練習対象文字の成り立ちに関する情報を示すための「なりたち」の表示・実行を指示するためのものである。学習者がこのアクセスボタン６４０をタッチ等することにより、例えば、練習対象文字の由来やその成立過程の詳細、その他の参考トピック等が、説明文やイラスト等によってポップアップ表示等される。また、画面の周縁部には、ステップＳＰ１１０で表示された学習支援のホーム画面へ戻るためのボタン６５０も表示される。
【００７１】
以下、ステップＳＰ１３０で表示された図６に示す書き方練習画面において、学習者が、まず、「かきじゅんアニメ」ステップＳＰ１４０を選択し、練習対象文字の書き順アニメーションの再生表示及びなぞり書き練習を行った後に、「かきかたレッスン」ステップＳＰ１５０を選択して書き方練習を行う手順の一例について説明する。
【００７２】
学習者が、端末装置２００の操作部２３３を操作し、アクセスボタン６１０をタッチ等により選択すると、学習内容提示部１３５により、画面２０１が図６の書き方練習画面から、適宜の「かきじゅんアニメ」画面に切り替えられる。それから、文字表示部６１１に静止画表示されていた練習対象文字である漢字「月」が、正しい書き順に従って一画ずつ書き進められていく状態のアニメーションによる動画表示が行われる（ステップＳＰ１４１）。
【００７３】
ここで、図７（Ａ）及び（Ｂ）は、練習対象文字の書き順アニメーションを再生している状態の一部を模式的に示す平面図であり、図７（Ａ）は、「月」の一画目１１の描画前の状態を示し、図７（Ｂ）は、「月」の一画目１１の描画後で且つ二画目１２の描画前の状態を示す。
【００７４】
図７（Ａ）に示す如く、書き順アニメーションの再生に先立って、「かきじゅんアニメ」画面の手書き入力部７０には、学習内容提示部１３５により、練習対象文字の手本７が、図６に示す完成形１０よりも例えば薄い色彩又は色調で表示される。なお、手書き入力部７０内には、その領域を４分割する目安線も破線で表示されている（後述する手書き入力部８０において同様）。それから、一画目７１の始点位置が例えば点状のマークＰ７１ａによって明示された後、始点から終点へ向って、一画目の線分が、他の画線と異なる色彩や色調（例えばやや濃い陰影）で徐々に変化することにより、一画目７１を書き進む状態がアニメーション表示される。そうして一画目７１の線分の描画が終了すると、一画目７１の終点位置に例えば円状のマークＰ７１ｂが明示されるとともに、一画目７１を書く際に特に注意するべき点である終点の書き方（止めないで「はらう」こと）を教示するテキストＰ７１ｃが表示され、図７（Ａ）に示す状態となる。
【００７５】
次いで、二画目７２の描画表示に先立って、既に書かれた一画目７１の線分は、図７（Ａ）に表示されていた一画目７１とは異なる色彩や色調（例えば更に濃い陰影）に変更される。その後、二画目７２が、図７（Ａ）に示す一画目７１と同様の色彩及び色調で書き進められる。二画目７２の線分の描画が終了すると、図７（Ｂ）の示す如く、入力ガイド部１３６により、二画目７２の始点位置に例えば円状のマークＰ７２ａが明示されるとともに、二画目７２を書く際に特に注意するべき点である始点の書き方（一画目７１よりも左に「でない」こと）を教示するテキストＰ７２ｂが表示される。また、二画目７２の終点には、その終点部位の書き方（止めたりはらったりしないで「はねる」こと）を示す例えば折れ線矢印のマークＰ７２ｃが、既に書かれた二画目７２上に重ねて明示されるとともに、その旨を教示するテキストＰ７２ｄも表示される。
【００７６】
それ以降の画線についても、主として学習内容提示部１３５及び入力ガイド部１３６により、同様のアニメーション表示及び注意点の表示処理が行われ、練習対象文字の全画のアニメーション表示が完了する。このように、ステップＳＰ１４１においては、一画毎に強調表示を含むアニメーションが再生され、一画毎に注意点の表示が行われる。
【００７７】
アニメーションの再生表示が終了すると、必要に応じて、練習対象文字の手本７をなぞって書くことを学習者に呼びかける又は勧めるサービステキストやテロップが画面２０１に表示され、或いは、それに加えて又はそれに代えて、その旨の音声が発話される。また、手書き入力部７０には、学習内容提示部１３５により、手本７が、例えば淡い陰影の色彩又は色調で表示され、学習者は、先に再生表示された書き順アニメーションを思い出しながら、その手本７をなぞるように一画ずつ手書き入力（なぞり書き入力）を行うことができる（ステップＳＰ１４２）。そのとき、入力ガイド部１３７により、ステップＳＰ１４１におけるアニメーション再生時に表示された注意点、及び／又は、正しい書き順を再提示するようにしてもよい。
【００７８】
このとき、端末装置２００の操作部２３３は、画面２０１における手書き入力部７０に学習者が入力した線分の座標位置情報をサーバ装置１００に逐次送信し、サーバ装置１００の制御管理部１３４は、その座標位置情報に基づいて、学習者が手書き入力した線分が、練習対象文字の最終画であるか否かを判断する（ステップＳＰ１４３）。それが最終画ではないと判定された場合（ステップＳＰ１４３でＮｏ）には、なぞり書き入力（ステップＳＰ１４２）及び最終画であるか否かを判断（ステップＳＰ１４３）が繰り返される。一方、それが最終画であると判定された場合（ステップＳＰ１４３でＹｅｓ）には、「かきじゅんアニメ」ステップＳＰ１４０が終了し、画面２０１が切り替えられて図６に示す状態の書き方練習画面が再表示される。
【００７９】
次に、学習者が、端末装置２００の操作部２３３を操作し、アクセスボタン６２０をタッチ等により選択すると、「かきかたレッスン」ステップＳＰ１５０の処理へと移行し、画面２０１が図６の書き方練習画面から、適宜の「かきかたレッスン」画面に切り替えられる。
【００８０】
ここで、本実施形態では、制御管理部１３４（範囲設定部）により、練習対象文字である「月」の一画毎に、手本の運筆範囲（連続した時系列の筆跡に対応する座標）及び運筆方向が予め設定され、検出判定部１３７により、学習者の手書き入力結果が、手本の運筆範囲及び／又は運筆方向と照合対比され、その結果に基づいて、学習者の手書き入力に誤りがあるか否かを即時に判定するように構成されている。なお、図５に示すフローのステップＳＰ１５３には、かかる判定事項のうち、練習対象文字の一画毎の「始点」及び「終点」に係る判定を一例として示す。
【００８１】
ここで、図８（Ａ）〜（Ｃ）、図９（Ａ）〜（Ｃ）、図１０（Ａ）〜（Ｃ）、及び、図１１（Ａ）〜（Ｅ）は、学習者が練習対象文字の書き方練習を行っている状態の一部を模式的に示す平面図であり、より具体的には、練習対象文字である「月」の一画目の手書き入力を行っている状態を示す。このとき、学習者は、スタイラス等のポインティングデバイスＰを用いて「かきかたレッスン」画面の手書き入力部８０に手書き入力を行うことができる。また、学習者が手書き入力した位置（手書き入力部８０において画面２０１とポインティングデバイスＰの先端とが接する座標位置）の情報が、端末装置２００の操作部２３３からサーバ装置１００へ逐次送信される。
【００８２】
これらのうち、図８（Ａ）〜（Ｃ）は、学習者がその一画目を適正に書いた場合の一例である。ここでは、手書き入力部８０における正しい始点位置としての許容範囲（第１の範囲）、手書き入力部８０における正しい終点位置としての許容範囲（第２の範囲）、それらの始点と終点とを結ぶ正しい筆跡上の途中点位置としての許容範囲（第３の範囲）、及び、始点から終点へ向う正しい送り方句が、制御管理部１３４により、練習対象文字の一画毎に予め設定されている。そして、まず、学習者がポインティングデバイスＰの先端で一画目の始点を手書き入力部８０に置いたとき、検出判定部１３７により、その入力された座標位置が、正しい始点位置としての許容範囲である第１の範囲内にあるか否かの判定、すなわち入力された始点の適否の判定が行われる（図５のステップＳＰ１５３）。その入力された始点位置が適正である場合（ステップＳＰ１５３でＹｅｓ）、図８（Ａ）に示す如く、正しい始点位置から波紋Ｈ１が拡がり、且つ、例えば正解を知らせるチャイム音等が発せられ、書き出し位置が適正（正解）である旨が学習者に報知される（ステップＳＰ１５４）。
【００８３】
学習者は、そのままポインティングデバイスＰの先端を摺動させて、練習対象文字の一画目７１を書き進め（図８（Ｂ））、図８（Ｃ）に示すとおり、自分が正しいと思う終点位置で、ポインティングデバイスＰの先端を手書き入力部８０から離して一画目８１を完成させる。このとき、検出判定部１３７は、その終点の座標位置が、予め設定された正しい終点位置としての許容範囲である第２の範囲内にあるか否かの判定、すなわち入力された終点の適否の判定を行う（これも図５のステップＳＰ１５３）。その入力された終点位置が適正である場合（ステップＳＰ１５３でＹｅｓ）、図８（Ｃ）に示す如く、正しい終点位置から波紋Ｈ２が拡がり、且つ、例えば正解を知らせるチャイム音等が発せられ、書き終わり位置が適正（正解）である旨が学習者に報知される（ステップＳＰ１５４）。
【００８４】
一方、図９（Ａ）〜（Ｃ）は、学習者が一画目を適正に書くことができなかった場合の一例（エラーケース１）であり、学習者が書き順を覚えていない場合（一画目から書こうとしなかった場合）、又は、書き順を覚えているものの書き出し位置を正確に理解していない場合等に、想定されるケースである。ここでは、学習者による入力開始位置が、正しい始点位置としての許容範囲（第１の範囲）から外れており（図９（Ａ））、検出判定部１３７により、その入力された始点の座標位置が不適正であると判定される（図５のステップＳＰ１５３においてＮｏ）。この場合、図９（Ｂ）に示す如く、入力ガイド部１３６により、手書き入力部８０に一画目の手本９０が例えばフェードインで表示され、さらに、正しい始点位置から波紋Ｈ１が拡がることにより、書き出し位置が不適正（不正解）である旨が学習者に報知される（ステップＳＰ１５５）。
【００８５】
その一画目の手本９０は、表示されてから所定時間（例えば１秒から数秒）経過した後にフェードアウトして消去される。その一方で、図９（Ｃ）に示す如く、波紋Ｈ１の表示を残した状態、又は、再表示した状態で、その位置から書き始めることを示唆する音声の発話やテキスト表示を行い、学習者はその点に留意して一画目の再入力を行う（ステップＳＰ１５６）。このように、一画目の手本９０及び波紋Ｈ１は、学習者に正確な始点位置を知らしめるためのヒントとして機能する。
【００８６】
また、図１０（Ａ）〜（Ｃ）も、学習者が一画目を適正に書くことができなかった場合の一例（エラーケース２）であるが、これは、学習者が書き順及び正しい書き出し（始点）位置を覚えているものの、始点以降の途中（途中点）の位置や書き終わり（終点）位置を正確に覚えていない又は理解していない場合等に想定されるケースである。図１０（Ａ）は、学習者による入力開始位置が、正しい始点位置の許容範囲（上記第１の範囲）内であったものの、書き進めるにつれて、入力した一画目８２の線分が途中で正規の位置（手本の筆跡）からずれてしまい、ポインティングデバイスＰを離した入力終了位置が、正しい終点位置の許容範囲である上記第２の範囲から外れてしまった状態を表す。なお、学習者によって手書き入力された一画目８２の軌跡が、途中点に対する許容範囲である上記第３の範囲から逸脱した場合も同様である。
【００８７】
この場合、検出判定部１３７により、始点の座標位置は適正であると判定される（図５のステップＳＰ１５３でＹｅｓ）ものの、終点の座標位置が不適正であると判定される（ステップＳＰ１５３においてＮｏ）。その結果、図１０（Ｂ）に示す如く、書かれた一画目８２の線分の色調又は色彩が変化し、且つ、手書き入力部８０に、正しい始点位置を示す波紋Ｈ１、及び、正しい終点位置を示す波紋Ｈ２が表示される。これらにより、書き出し位置は適正（正解）であるものの、書き終わり位置が不適正（不正解）である旨が学習者に報知される（ステップＳＰ１５４，ＳＰ１５５）。
【００８８】
また、その書かれた一画目８２の線分は、所定時間（例えば１秒〜数秒）経過した後にフェードアウトして消去される。その一方で、図１０（Ｃ）に示す如く、波紋Ｈ１，Ｈ２の表示を残した状態、又は、再表示した状態で、その位置を結ぶように一画目を書き直すことを示唆する音声の発話やテキスト表示を行い、学習者はその点に留意して一画目の再入力を行う（ステップＳＰ１５６）。このように、学習者によって書かれた一画目８２の表示を変化させること、及び、波紋Ｈ１，Ｈ２は、学習者に正確な、始点位置、終点位置、及び途中点位置を知らしめるためのヒントとして機能する。
【００８９】
さらに、図１１（Ａ）〜（Ｅ）は、図１０（Ｃ）において、正しい始点位置及び終点位置を示すヒントである波紋Ｈ１，Ｈ２が表示されているにも拘わらず、学習者が一画目を正しく再入力することができなかった場合の一例（エラーケース３）である。これは、学習者が一画目の正しい形状を全く覚えていないといった場合に想定され得るケースである。
【００９０】
例えば、学習者が、図１０（Ｃ）においてヒントである波紋Ｈ１，Ｈ２が表示された状態から再度の手書き入力を開始（図１１（Ａ））すると、入力ガイド部１３６により、始点位置に表示された波紋Ｈ１が消去される。そして、終点位置を示す波紋Ｈ２の表示が残っているにも拘わらず、学習者が入力した一画目８３の線分が、再び、正規の位置（手本）からずれてしまい、終点位置がその波紋Ｈ２で表される範囲から外れると、検出判定部１３７は、終点位置が不適正であると再判定する（ステップＳＰ１５３）。
【００９１】
この場合、検出判定部１３７は、図１０（Ｂ）における処理と同様に、書かれた一画目８３の線分の色調又は色彩を変化させ、それに加えて、図９（Ｂ）に示す処理の如く、入力ガイド部１３６により、一画目の手本９０が例えばフェードインで表示される（図１１（Ｃ）））。それから、学習者が入力した一画目８３は、その一画目の手本９０は、所定時間（例えば１秒から数秒）経過した後にフェードアウトして消去される一方、手本９０の表示は、そのまま維持される（図１１（Ｄ））。これらにより、再入力しても書き終わり位置が不適正（不正解）である旨が学習者に報知される（ステップＳＰ１５４，ＳＰ１５５）。そして、学習者に対してその手本９０をなぞることで一画目を入力（すなわちなぞり書き）し、一画目の書き方の理解を促す音声の発話やテキスト表示を行い、学習者はそのなぞり書きを実行することにより、正しい形状の一画目８４を書くことができる（図１１（Ｅ））。
【００９２】
これらの処理においても、端末装置２００の操作部２３３は、画面２０１における手書き入力部８０に学習者が入力した線分の座標位置情報をサーバ装置１００に逐次送信し、サーバ装置１００の制御管理部１３４は、その座標位置情報、及び、入力ガイド部１３６及び検出判定部１３７による上述した処理に関する情報に基づいて、学習者が手書き入力した線分が、練習対象文字の最終画であるか否かを判断する（ステップＳＰ１５７）。それが最終画ではないと判定された場合（ステップＳＰ１５７でＮｏ）には、別の画の手書き入力（ステップＳＰ１５２）に移行する。一方、それが最終画であると判定された場合（ステップＳＰ１５７でＹｅｓ）には、画面２０１が切り替えられて図６に示す状態の書き方練習画面が再表示され、結果表示部６２２に、学習者による手書き入力の結果が表示される（ステップＳＰ１５８）。
【００９３】
その際、結果表示部６２２には、サーバ処理部１３３による採点結果やアドバイス等を併せて表示することもできる。また、図６の書き方練習画面へ切り替える前に、手書き入力部８０が表示された画面等において、練習対象文字の完成形の手本と、学習者による手書き入力結果を対比して表示するようにしてもよい。
【００９４】
それらの手書き練習の結果等を確認した学習者は、「かきかたレッスン」ステップＳＰ１５０を終了し、他の練習対象文字の練習を行ってもよいし、その単元の書き方練習メニューを終了（ステップＳＰ１６０）してもよい。
【００９５】
以上のように構成された書き方練習システム１及びそのための書き方練習プログラムによれば、まず、「かきじゅんアニメ」ステップＳＰ１４０において、学習内容提示部１３５及び入力ガイド部１３６によって、練習対象文字の正しい書き順を示すアニメーション表示が行われる。また、その練習対象文字の一画毎に、正しい始点及び終点位置並びに書き方の注意点として、マークＰ７１ａ，Ｐ７１ｂ，Ｐ７２ａ，Ｐ７２ｃやテキストＰ７１ｃ，Ｐ７２ｂ，Ｐ７２ｄが表示される。換言すれば、練習対象文字の書き順に沿って、それを構成する一画毎に、学習者に対して手書き入力の支援又は案内（入力ガイド）が行われる。よって、学習者が、その練習対象文字の書き方を初めて学ぶときにおいても、複数の注意（留意）事項を、順を追って確認及び理解することができる。
【００９６】
また、「かきかたレッスン」ステップＳＰ１５０においては、練習対象文字の手本を書き写したりなぞったりするのではなく、「かきじゅんアニメ」ステップＳＰ１４０で確認した手本の形（字形）並びに正しい書き順及び書き方の注意事項を思い出しながら、自力で手書き入力を行うことができる。その際、入力を間違えてしまったときでも、一画毎に、正しい始点位置及び終点位置のヒントや手本の提示（波紋Ｈ１，Ｈ２、及び一画毎の手本９０）を得て再入力することができる。
【００９７】
すなわち、学習者は、練習対象文字の手本を単に見ながら書くのではなく、提示された練習対象の全体像を思い出しつつ、各部分の配置や他の部分との関係を考慮するといった思考錯誤を行いながら、且つ、入力途中において適切な入力ガイドを受けながら、書き方の練習を行うことができる。また、学習者が独学で書き方練習を行う場合であっても、練習対象文字の入力ガイドを一画毎に行うことにより、学習者の技能に応じた適正且つ的確な指導や支援を提供することが可能となる。それらの結果、学習者は、学習効率を格段に高めることができ、また、従来に比して十分な学習効果を得ることが可能となる。
【００９８】
また、その際に、検出判定部１３７により、学習者の手書き入力結果の適否が判定され、その判定結果に基づいて、上述した入力ガイド部１３６による入力ガイドや支援が行われる（つまり、検出判定部１３７による判定結果が入力ガイド部１３６にフィードバックされる）ので、図９〜図１１に示したような綿密且つ的確な学習者に対する入力支援や案内を提供することができる。しかも、その判定が、練習対象文字の全体形状と、手書き入力されたものの全体形状とを比較考量するといったものではなく、正しい始点位置を含む第１の範囲、正しい終点位置を含む第２の範囲、及び、正しい途中点位置を含む第３の範囲に基づいて行われる。よって、判定作業を簡略化しつつもその正確性を向上させることができ、また、学習者の書き方技能の上達の度合いを推測又は把握したり、或いは、学習者の書き方の癖を判断したりといったことも可能となる。
【００９９】
さらに、検出判定部１３７が、学習者による手書き入力の判定結果を、学習者に対して視覚的及び／又は聴覚的に知らせるので、学習者に対して、練習対象文字の正しい入力位置をより効果的に印象付けることができる。また、正しい入力ができた場合（正解した場合）に学習者の練習意欲を湧き立たせ、その結果、学習効果をより一層向上させることも可能となる。
【０１００】
また、以上を総括すれば、本発明による書き方練習システム１及びそのための書き方練習プログラムは、学習者に対して、きれいな字形（字体）で書くことと書き順を正しく書くことの両方の習得を可能ならしめるものである。また、図５に示すフローの手順により、（１）書き順を学ぶこと、（２）書く際の注意点（はねる、出る／でない等）を一画ずつ認知しながら書くこと、（３）手本の形を正しく覚えて書くこと、及び、（４）自分の書いた文字と手本の差異を明確に認知することを、学習者に対して段階的に学習させることができる。そして、その際、学習者による手書き入力の筆跡が、手本の形からずれていないか否かを一画毎に判断し、ずれている場合には、その一画毎に適切な指導を行い、その上で、文字全体を書き終えた後に、学習者自身が自分の筆跡と手本とを比較考量することができるので、文字や図形等の学習効率を更に高め且つ十分な学習効果をより確実に得ることが可能となる。
【０１０１】
なお、上述したとおり、本発明は、上記の実施の形態、及び、既に述べた変形例に限定されるものではなく、その要旨を逸脱しない範囲内において様々な変形が可能である。すなわち、上記実施形態はあらゆる点で単なる例示にすぎず、限定的に解釈されるものではない。また、上述の各処理フローは処理内容に矛盾を生じない範囲で任意に順番を変更して又は並列に実行することができる。
【０１０２】
例えば、サーバ装置１００の学習内容提示部１３５により、学習者の識別情報に基づいて、同じ学習内容を、例えば図１に示すネットワークＮに接続されている異なる複数の端末装置２００に提示するようにしてもよい。このようにすれば、学習者が複数の端末装置２００（例えばパーソナルコンピュータ、タブレット端末、及び携帯電話やスマートフォンの少なくとも２つ以上）を所有しており、それらの端末装置２００を使用する場所や時間帯が異なるような場合であっても、それらの複数の端末装置２００の何れか１つに制限されることなく、また、場所（自宅、学校、職場等）や時間帯の制約を受けることなく、最新の進捗状況に応じた書き方練習を含む学習を継続して実施することができる。
【０１０３】
また、図２に示すサーバ装置１００の構成の任意の部分は、処理能力等に相違はあるものの、端末装置２００についても適合する。逆言すれば、端末装置２００を、サーバ装置１００として使用することも可能である。すなわち、ネットワークＮを介して接続されているコンピュータ装置の何れもサーバ装置として機能させることができる。また、端末装置２００がサーバ装置１００としても機能する構成は、その端末装置２００によって学習支援を完結させることができるので、サーバ装置１００及びネットワークＮを用いないシステムと等価である。例えば、本発明による書き方練習プログラムを、端末装置２００にインストールして実行することにより、ネットワークＮに接続しない状態の書き方練習システムが構築され、学習者はその端末装置２００のみで、そのプログラムを実行して書き方練習を行うことができる。
【０１０４】
さらに、サーバ装置１００においては、ハードディスクやＳＳＤ等の大容量記憶装置を用いて、ＲＯＭ１０２、ＲＡＭ１０３、外部メモリ１０６、スロットドライブ１０８に装荷されるメモリデバイス等と同等の機能を果たすように構成してもよく、それらの記憶装置は、ＲＡＩＤ等による冗長化が行われていてもいなくてもよく、また、伝送路１２０を介して演算処理部１０１に接続されていなくてもよく、例えば、クラウドコンピューティングの一環として、ネットワークＮを介して別の外部装置等に接続されていてもよい。
【０１０５】
またさらに、サーバ装置１００及び端末装置２００におけるネットワークインターフェースとしては、無線ＬＡＮ装置及び有線ＬＡＮ装置の何れでもよく、それらは、内部に装着されていても、ＬＡＮカードの如く外部デバイスタイプのものでもよい。さらにまた、端末装置２００としては、ネットワークＮに接続可能な任意のコンピュータ機器を用いてもよい。
【産業上の利用可能性】
【０１０６】
以上説明したとおり、本発明の書き方練習システム及び書き方練習プログラムは、文字や図形等の書き方を、学習者が独学で習得する場合でも、学習者の技能に応じた適正且つ的確な指導や支援が可能であり、学習効率を高め且つ十分な学習効果を得ることができる。よって、本発明は、書き方練習を含む学習支援に関連する分野、サーバ−クライントタイプのネットワーク構成、及び、そのようなネットワークを介しないシステム構成において配信、提供、実施等される学習支援全般、その配信、提供、実施等に係るソフトウェア及びハードウェア関連の技術全般、さらに、それらの設計、製造、販売、役務サービスの提供等の活動に、広く且つ有効に利用することができる。
【符号の説明】
【０１０７】
１：書き方練習システム
７：練習対象文字全体の手本
１０：練習対象文字の完成形
１１：練習対象文字の一画目
１２：練習対象文字の二画目
７０，８０：手書き入力部
７１：練習対象文字の一画目
７２：練習対象文字の二画目
８１，８２，８３，８４：練習対象文字の一画目
９０：：練習対象文字の一画目の手本
１００：サーバ装置
１０１：演算処理部
１０２：ＲＯＭ
１０３：ＲＡＭ
１０４：外部インターフェース
１０５：入力部
１０６：外部メモリ
１０７：画像処理部
１０８：スロットドライブ
１０９：音声処理部
１１０：ネットワークインターフェース
１１１：ディスプレイモニタ
１１２：スピーカ装置
１２０：伝送路
１３１：サーバ通信部
１３２：サーバ記憶部
１３３：サーバ処理部
１３４：制御管理部
１３５：学習内容提示部
１３６：入力ガイド部
１３７：検出判定部
２００：端末装置
２０１：端末装置の画面
２３１：端末通信部
２３２：端末記憶部
２３３：操作部
２３４：表示部
２３５：端末処理部
２３６：閲覧実行部
６１１：文字表示部
６１２，６１３：説明表示
６１０，６２０，６３０，６４０：アクセスボタン
６２１，９３１：領域
６２２：結果表示部
６２３，６３３：イラスト
６２４：キャラクタ
６３２：例文
６５０：もどるボタン
Ｈ１，Ｈ２：波紋
Ｎ：ネットワーク
Ｐ：ポインティングデバイス
Ｐ７１ａ，Ｐ７１ｂ，Ｐ７２ａ，Ｐ７２ｃ：  マーク
Ｐ７１ｃ，Ｐ７２ｂ，Ｐ７２ｄ：テキスト
【図１】
2015049308.tif 000003
【図２】
2015049308.tif 000004
【図３】
2015049308.tif 000005
【図４】
2015049308.tif 000006
【図５】
2015049308.tif 000007
【図６】
2015049308.tif 000008
【図７】
2015049308.tif 000009
【図８】
2015049308.tif 000010
【図９】
2015049308.tif 000011
【図１０】
2015049308.tif 000012
【図１１】
2015049308.tif 000013